(57)【要約】【課題】頭髪の薄くなった部分を効果的に目立たなくすること、或いは、頭髪の所望の部分に対してボリューム感を与えることが可能な髪形矯正器具を提供する。【解決手段】頭髪の根元部分を効果的に立たせた状態で頭髪のセットを行うことが可能な頭髪矯正器具であって、頭部に配置可能な長尺状の第１器具本体を備えており、前記第１器具本体は、その表面に設けられる第１毛髪保持部を備え、前記第１毛髪保持部は、前記第１器具本体の表面から立設し、頭髪の根元部分を保持可能な複数の第１突起体を備えることを特徴とする頭髪矯正器具。【選択図】図１
2018068395.tif 000002
【特許請求の範囲】
【請求項１】
頭髪の根元部分を効果的に立たせた状態で頭髪のセットを行うことが可能な頭髪矯正器具であって、
頭部に配置可能な長尺状の第１器具本体を備えており、
前記第１器具本体は、その表面に設けられる第１毛髪保持部を備え、
前記第１毛髪保持部は、前記第１器具本体の表面から立設し、頭髪の根元部分を保持可能な複数の第１突起体を備えることを特徴とする頭髪矯正器具。
【請求項２】
前記第１突起体は、先端が折り返された折り返し部を備えることを特徴とする請求項１に記載の頭髪矯正器具。
【請求項３】
前記第１突起体は、ループ状に構成される請求項１に記載の頭髪矯正器具。
【請求項４】
前記第１器具本体は、頭部表面に当接される底部、及び、前記底部から立設する側面を備えており、前記側面に前記第１毛髪保持部が設けられていることを特徴とする請求項１から３のいずれかに記載の頭髪矯正器具。
【請求項５】
前記第１器具本体の一端部に設けられる第２器具本体を更に備えており、
前記第２器具本体は、その長手方向が、前記第１器具本体の長手方向に対して略垂直となるように位置しており、
前記第２器具本体は、その表面に設けられる第２毛髪保持部を備えており、
前記第２毛髪保持部は、前記第２器具本体の表面から立設し、頭髪の根元部分を保持可能な複数の第２突起体を備えることを特徴とする請求項１から４のいずれかに記載の頭髪矯正器具。
【発明の詳細な説明】
【技術分野】
【０００１】
本発明は、頭髪矯正器具に関する。
【背景技術】
【０００２】
従来から、多くの女性が、加齢による女性ホルモンの減少に伴って、頭髪が細くなったり、抜け毛が増えることによる薄毛の悩みを抱えている。このような悩みを解決するために、例えば、育毛剤、ヘアスプレー等のアウトバス剤、シャンプー、コンディショナー等のインバス剤、ウィッグ・つけ毛などが種々検討されている。
【発明の概要】
【発明が解決しようとする課題】
【０００３】
しかしながら、育毛剤、ヘアスプレー等のアウトバス剤、シャンプー、コンディショナー等のインバス剤、ウィッグ・つけ毛等によって、一定の効果は得られるものの、未だ十分満足できる成果は得られていないのが現状であり、薄毛部分を気にしたり、頭髪にハリ及びコシがなく頭髪のふんわり感（ボリューム感）がないと感じたりしている多くの女性にとって、頭髪の薄くなった部分を効果的に目立たなくできたり、頭髪に適度なふんわり感を与えることができる何らかの器具や方法が望まれている。
【０００４】
本発明は、かかる要望を解決すべくなされたものであって、頭髪の薄くなった部分を効果的に目立たなくすること、或いは、頭髪の所望の部分に対してボリューム感を与えることが可能な髪形矯正器具を提供することを目的とする。
【課題を解決するための手段】
【０００５】
本発明の上記目的は、頭髪の根元部分を効果的に立たせた状態で頭髪のセットを行うことが可能な頭髪矯正器具であって、頭部に配置可能な長尺状の第１器具本体を備えており、前記第１器具本体は、その表面に設けられる第１毛髪保持部を備え、前記第１毛髪保持部は、前記第１器具本体の表面から立設し、頭髪の根元部分を保持可能な複数の第１突起体を備えることを特徴とする頭髪矯正器具により達成される。
【０００６】
この頭髪矯正器具においては、前記第１突起体は、先端が折り返された折り返し部を備えることが好ましい。また、前記第１突起体は、ループ状に構成されてもよい。
【０００７】
また、前記第１器具本体は、頭部表面に当接される底部、及び、前記底部から立設する側面を備えており、前記側面に前記第１毛髪保持部が設けられていることが好ましい。
【０００８】
また、前記第１器具本体の一端部に設けられる第２器具本体を更に備えており、前記第２器具本体は、その長手方向が、前記第１器具本体の長手方向に対して略垂直となるように位置しており、前記第２器具本体は、その表面に設けられる第２毛髪保持部を備えており、前記第２毛髪保持部は、前記第２器具本体の表面から立設し、頭髪の根元部分を保持可能な複数の第２突起体を備えるように構成してもよい。
【発明の効果】
【０００９】
本発明によれば、頭髪の薄くなった部分を効果的に目立たなくすること、或いは、頭髪の所望の部分に対してボリューム感を与えることが可能な髪形矯正器具を提供することができる。
【図面の簡単な説明】
【００１０】
【図１】本発明の一実施形態に係る頭髪矯正器具の概略構成平面図である。
【図２】図１の矢視Ａ方向から見た概略構成側面図である。
【図３】図１のＢ−Ｂ断面を示す要部拡大概略構成断面図である。
【図４】図１に示す頭髪矯正器具が有する第１突起体の変形例を示す要部拡大概略構成断面図である。
【発明を実施するための形態】
【００１１】
以下、本発明にかかる頭髪矯正器具について、添付図面を参照して説明する。なお、各図は、構成の理解を容易ならしめるために部分的に拡大・縮小している。図１は、本発明の一実施形態に係る頭髪矯正器具１の概略構成平面図であり、図２は、図１の矢視Ａ方向から見た概略構成側面図である。
【００１２】
本発明にかかる頭髪矯正器具１は、所望部分周辺の頭髪の根元部分を効果的に立たせた状態で頭髪のセットを行うことが可能な器具であって、図１や図２に示すように、第１器具本体２及び第２器具本体３を備えている。
【００１３】
第１器具本体２は、頭部に配置可能な長さで構成される長尺状の部材であり、その表面に設けられる第１毛髪保持部２１を備えている。この第１器具本体２の形状としては、直線的な棒状に形成されてもよく、頭部に配置した際に、頭部の湾曲した表面に沿うように、湾曲状に形成されてもよい。また、手指で曲げることにより、曲げた際の形態を維持できる程度の可撓性を備えるように構成してもよい。また、本実施形態においては、第１器具本体２は、図１のＢ−Ｂ断面を示す図３の要部拡大概略構成断面図に示すように、断面視略矩形状に形成されており、頭部に載置される底部２ａ、及び、底部２ａから立設する側面２ｂ，２ｃを備えており、側面２ｂ，２ｃに第１毛髪保持部２１が設けられるように構成されている。ここで、第１器具本体２の長手方向に対して垂直な方向の底部２ａの幅寸法は、５ｍｍ以上１５ｍｍ以下の数値範囲に設定することが好ましい。このような数値範囲に設定することにより、第１器具本体２をより安定的に頭部表面に載置することが可能であり、また、効果的に薄毛部分を目立たなく、或いは、頭髪セット後のボリューム感を自然な感じで維持することが可能となる。なお、本実施形態においては、幅寸法を１０ｍｍに設定している。また、側面２ｂ，２ｃの高さは、７ｍｍ以上２０ｍｍ以下の数値範囲に設定することが好ましい。このような数値範囲に設定することにより、頭髪の根元部分を効果的に立たせることが可能となり、頭髪セット後に、薄毛部分を違和感なく目立たなくすることができ、また、頭髪セット後のボリューム感を自然な感じで維持することが可能となる。なお、本実施形態においては、側面２ｂ，２ｃの高さ寸法を１０ｍｍに設定している。
【００１４】
第１毛髪保持部２１は、第１器具本体２の表面（図３においては側面２ｂ，２ｃ）から立設し、頭髪の根元部分を保持可能な複数の第１突起体２２を備えている。各第１突起体２２は、先端が折り返された折り返し部を備えるように構成されている。また、第１突起体２２は、第１器具本体２の側面２ｂ，２ｃの略全域に亘って、所定間隔を空けて分散して配置されている。各第１突起体２２の長さ（高さ）は、１ｍｍ以上３ｍｍ以下の数値範囲に設定することが好ましい。なお、各第１突起体２２は、いわゆる雄型面ファスナーの表面に形成される各フックと略同様な形態を有しており、雄型面ファスナーのフックと略同程度の太さ、長さに構成することが好ましい。第１突起体２２の材質としては種々の樹脂材料、例えば、ポリエチレン（例えば、高密度ポリエチレン）、ポリプロピレン、ポリスチレン、ポリ塩化ビニル、ポリエチレンテレフタレート、ポリブチレンテレフタレート、ナイロン、ポリカーボネート、ポリメチルメタクリレート、ポリアセタール、ポリメチルペンテン、アクリロニトリル−スチレン−ブタジエン、ポリフェニレンエーテル、ポリフェニレンサルファイド、並びに、スチレン−ブタジエン−スチレン、スチレン−イソプレン−スチレン等のスチレン系エラストマー、エチレン−α−オレフィンコポリマー等のオレフィン系エラストマー、エステル系エラストマー、アミド系エラストマー、ウレタン系エラストマー、塩化ビニル系エラストマー、シリコーン系エラストマー、フッ素系エラストマー、及びそのアロイ、等を例示できる。なお、各第１突起体２２を、図４の要部拡大概略構成断面図に示すように、ループ状に構成してもよい。ループ状の第１突起体２２は、いわゆる雌型面ファスナーの表面に形成される各ループ体と略同様な形態を有するように構成することが好ましい。なお、図２においては、第１器具本体２が備える第１毛髪保持部２１を省略して記載している。
【００１５】
第２器具本体３は、第１器具本体２の一端部に設けられる部材であり、円筒状に構成されている。円筒状の第２器具本体３と上記第１器具本体２とは、連結具４を介して互いに接続している。この第２器具本体３は、その長手方向が、第１器具本体２の長手方向に対して略垂直となるように位置して設けられている。また、この第２器具本体３は、その表面に設けられる第２毛髪保持部３１を備えている。この第２毛髪保持部３１は、第２器具本体３の表面から立設し、頭髪の根元部分を保持可能な複数の第２突起体３２を備えている。また、各第２突起体３２は、第２器具本体２の周面の略全域に亘って、所定間隔を空けて分散して配置されている。各第２突起体３２は、上記第１突起体２２と同一構成であり、いわゆる雄型面ファスナーの表面に形成される各フックと略同様な形態を有している。第２器具本体３の最大径ｄは、１５ｍｍ以上３５ｍ以下の数値範囲となるように構成することが好ましい。このような数値範囲に設定することにより、つむじ周りの頭髪の根元部分を効果的に立たせて、つむじ周辺の薄毛部分を違和感なく目立たなくすることができ、また、頭髪セット後のボリューム感を自然な感じで維持することが可能となる。なお、本実施形態においては、最大径を２５ｍに設定している。ここで、各第２突起体３２についても、上記第１突起体２２と同様に、ループ状に構成してもよい。ループ状の第２突起体３２は、いわゆる雌型面ファスナーの表面に形成される各ループ体と略同様な形態を有するように構成することが好ましい。なお、図１においては、第２器具本体３が有する第２毛髪保持部３１を省略して記載している。また、第１器具本体２と第２器具本体３とを接続する連結具４の具体的構成は特に限定されず、両者をしっかりと連結できるものであればどのような構成のものを採用してもよい。本実施形態においては、帯状部材を連結具４として採用し、当該帯状連結具４の一端部を第１器具本体２の先端部に固定すると共に、他方端を第２器具本体３の内腔を通過させた状態で第１器具本体２の先端部に固定することにより（帯状連結具４により形成されるリング内に第２器具本体３を通すことにより）両者を連結している。
【００１６】
以下、本発明に係る頭髪矯正器具１の使用方法について説明する。まず、頭髪矯正器具１における第１器具本体２の底部２ａが頭部側を向くようにして、薄毛が気になる部分（頭部）に載置する。一般的な薄毛の状況としては、つむじから後頭部にかけて左右に髪の毛が流れて、つむじを起点とする線状の薄毛部分が形成される場合が多い。このような場合、つむじに第２器具本体３を載置すると共に、第１器具本体２を線状の薄毛部分に沿って載置する。なお、第１器具本体２や第２器具本体３の表面には、第１突起体２２や第２突起体３２が形成されておるため、頭髪矯正器具１を所定の位置に載置した状態で、頭髪が、第１突起体２２や第２突起体３２に絡みつくため、頭部から頭髪矯正器具１が落下することが抑制される。
【００１７】
次いで、第１器具本体２を境界として見た場合の、左側の髪の毛の一部を、第１器具本体２を乗り越える様な形で第１器具本体２に対して右側に、ブラシ等によって移動させる。同様に、右側の髪の毛の一部を、第１器具本体２を乗り越える様な形で第１器具本体２に対して左側に、ブラシ等によって移動させる。この時、第１器具本体２よりも左側にある髪の毛の一部において、その根元部分は、第１器具本体２の左側の側面に形成される第１突起体２２に引っかかって起立した状態で保持される。同様に、第１器具本体２よりも右側にある髪の毛の一部において、その根元部分は、第１器具本体２の右側の側面に形成される第１突起体２２に引っかかって起立した状態で保持される。
【００１８】
次に、第２器具本体３に対して前側、つまり、つむじよりも顔面側に有る髪の毛の一部を、第２器具本体３を乗り越えるように後頭部側に、ブラシ等により移動させる。第１器具本体２の場合と同様に、第２器具本体３の表面には第２突起体３２が形成されているため、後頭部側に移動させられた髪の毛の根元部分は、第２突起体３２に引っ掛かって起立した状態で保持される。
【００１９】
その後、例えば、髪型キープ力のあるヘアスプレー等を頭髪矯正器具１周りの髪の毛に吹き付けることにより髪の毛同士を点接着した後、頭髪矯正器具１を頭部から取り外す。頭髪矯正器具１を取り除いた後、ブラシや手指で髪の毛を整えて頭髪のセットが完了する。ここで、上記説明では、第１器具本体２の左右両側にある髪の毛を先にそれぞれ移動させ、その後、第２器具本体３よりも顔面側に有る髪の毛を後頭部側に移動させる手順を示したが、頭髪矯正器具１周りの髪の毛の移動手順は、特に限定されず、例えば、第２器具本体３よりも顔面側に有る髪の毛を後頭部側に移動させた後、第１器具本体２の左右両側にある髪の毛をそれぞれ移動させてもよく、或いは、第１器具本体２の左側の髪の毛を移動させた後、第２器具本体３よりも顔面側の髪の毛を移動させ、その後、第１器具本体２の右側の髪の毛を移動させてもよい。
【００２０】
本実施形態にかかる頭髪矯正器具１によれば、薄毛が気になる部分を覆うようにして、髪の毛をセットすることができるため、効果的に薄毛部分を目立たなくすることが可能となる。また、薄毛が気になる部分周辺の髪の毛の目元をしっかりと起立させた状態で頭髪セットを行うことができるため、違和感なく薄毛部分を目立たなくすることができ、更に、頭髪のボリューム感を与えることが可能となる。
【００２１】
ここで、第１突起体２２及び第２突起体３２が、その先端部分に折り返し部を備えるように構成する場合、頭髪矯正器具１を乗り越えて移動させた髪の毛は、比較的強い力で保持されることになる為、頭髪のボリューム感を高めた髪型のセットが可能となる。一方、第１突起体２２及び第２突起体３２をループ状に形成する場合、折り返し部を備える場合に比べて比較的弱い力で髪の毛は保持されるため、ボリューム感を抑えた髪型にセットすることが可能となる。
【００２２】
以上、本発明に係る頭髪矯正器具１の一実施形態について説明したが、上記構成に特に限定されない。例えば、第２器具本体３を省略した形態で頭髪矯正器具１を構成してもよい。
【００２３】
また、上記実施形態においては、第１器具本体２は、図３の要部拡大概略構成断面図に示すように、断面視略矩形状に形成されているが、このような構成に特に限定されず、例えば、断面視円形状に構成してもよく、或いは、断面視三角形状に構成してもよい。
【００２４】
また、上記実施形態においては、第２器具本体３が円筒状に構成されているが、このような構成に特に限定されず、例えば、角筒状に構成してもよい、また、中実の円柱状や角柱状等の形態を有するように構成してもよい。
【符号の説明】
【００２５】
１  頭髪矯正器具
２  第１器具本体
２１  第１毛髪保持部
２２  第１突起体
２ａ  第１器具本体の底部
２ｂ  第１器具本体の側面
２ｃ  第１器具本体の側面
２２１  折り返し部
３  第２器具本体
３１  第２毛髪保持部
３２  第２突起体
４  連結部
【図１】
2018068395.tif 000003
【図２】
2018068395.tif 000004
【図３】
2018068395.tif 000005
【図４】
2018068395.tif 000006